(57)【要約】【課題】停電時、発電の継続性を高めること、蓄電池を電圧源に用いるＦＣシステムを発電手段に含む場合にも停電時、発電の継続性を向上させること、または充電の効率化を図り、停電時に蓄電池の蓄電量が目減りすることを抑制することにある。【解決手段】発電手段（ＦＣシステム４）と蓄電手段（蓄電システム６）とを備える給電システム（２）であって、系統電源（１０）の停電時、前記発電手段の発電出力により前記蓄電手段を充電する充電手段（連系充電回路８）を備え、前記発電手段が前記蓄電手段から供給される電力を用いて発電し、前記充電手段が、少なくとも前記系統電源の停電時、前記発電手段に使用される前記蓄電手段の蓄電量を前記発電手段の発電出力により補填する。【選択図】図１
2014165955.tif 000002
【特許請求の範囲】
【請求項１】
発電手段と蓄電手段とを備える給電システムであって、
系統電源の停電時、前記発電手段の発電出力により前記蓄電手段を充電する充電手段を備え、
前記発電手段が前記蓄電手段から供給される電力を用いて発電し、
前記充電手段が、少なくとも前記系統電源の停電時、前記発電手段に使用される前記蓄電手段の蓄電量を前記発電手段の発電出力により補填することを特徴とする給電システム。
【請求項２】
前記充電手段は、
前記系統電源の停電時、前記発電手段の発電を検出する発電検出手段と、
前記発電手段の発電時、前記発電手段の発電出力により前記蓄電手段を充電する充電回路と、
を備えることを特徴とする請求項１に記載の給電システム。
【請求項３】
前記発電検出手段は、前記発電手段の発電出力側に設置された電流センサであることを特徴とする請求項２に記載の給電システム。
【請求項４】
発電手段と蓄電手段とを備える給電システムに搭載されたコンピュータに実行させる給電プログラムであって、
系統電源の停電時、前記発電手段に発電を開始させ、
前記発電手段の発電時、前記蓄電手段から前記発電手段に電力を供給し、
少なくとも前記系統電源の停電時、前記発電手段に使用される前記蓄電手段の蓄電量を前記発電手段の発電出力により補填する、
処理を前記コンピュータに実行させるための給電プログラム。
【請求項５】
発電手段と蓄電手段とを備える給電システムに用いられる給電方法であって、
系統電源の停電時、前記発電手段の発電を開始させ、発電出力を負荷に供給するステップと、
前記発電手段の発電時、前記蓄電手段から前記発電手段に電力を供給するステップと、
少なくとも前記系統電源の停電時、前記発電手段に使用される前記蓄電手段の蓄電量を前記発電手段の発電出力により補填するステップと、
を含むことを特徴とする給電方法。
【発明の詳細な説明】
【技術分野】
【０００１】
本発明は、燃料電池コジェネレーションシステム（以下、単に「ＦＣシステム」と称する。）などの発電ユニットや蓄電ユニットを含む給電システム、給電プログラムおよび給電方法に関する。
【背景技術】
【０００２】
ＦＣシステムでは、家庭などの需要先の電力負荷量に応じて発電を行い、その発電出力が電力負荷に給電される。電力負荷量は、需要先に設置された電流センサで計測される。このＦＣシステムは系統電源を利用し発電電力を電力負荷へ供給する方式が主流となっている。系統電源は、電力会社から供給される商用電力である。
【０００３】
系統電源を利用する理由は、第１に、逆潮防止にある。ＦＣシステムでは、電力負荷より数十Ｗ程度低い電力で発電を行い、常時、数十Ｗ程度の電力が系統電力で賄われる。このように数十Ｗ程度低い電力をＦＣシステムで発電すれば、電力負荷が増減しても、ＦＣシステムの発電電力を系統に逆潮することを防止できるのがその理由である。
【０００４】
第２に、ＦＣシステムでの電圧源の確保にある。ＦＣシステムは電流型インバータを備えている。この電流型インバータは、発電電流量の制御に有効であるが、電圧源を失うと発電できない。電流型インバータを用いたＦＣシステムには、電圧源は不可欠である。
【０００５】
第３に、ＦＣシステムは、起動中や停止中に電力を必要とし、この電力を確保するために系統電力を必要としている。
【０００６】
このようなＦＣシステムに関し、発電装置を組み込み、停電時など系統電源がＦＣシステムから解列した場合にも、ＦＣシステムから負荷への電力供給を可能にすることが知られている（たとえば、特許文献１）。
【先行技術文献】
【特許文献】
【０００７】
【特許文献１】特開２０１２−０４４７３３号公報
【発明の概要】
【発明が解決しようとする課題】
【０００８】
ところで、系統電源が停電すると、ＦＣシステムから電圧源が消失し、ＦＣシステムが発電を停止する。そこで、このＦＣシステムの一次側に蓄電池を設置すれば、この蓄電池を電圧源に利用でき、系統電源が停電した場合にも、ＦＣシステムは発電を継続することができる。つまり、系統電源の停電時、ＦＣシステムの発電電力を電力負荷へ供給することが可能となる。
【０００９】
しかしながら、停電時、ＦＣシステムは発電できるとしても、その発電は蓄電池の蓄電量に依存する。つまり、停電時、電力負荷への供給電力量は蓄電池の蓄電量に依存することになる。蓄電池の蓄電量を使い切れば、ＦＣシステムは発電を停止し、電力供給を停止せざるを得ないという課題がある。
【００１０】
このような蓄電池の蓄電量に発電を依存させているＦＣシステムの大幅な変更は可能であってもコストアップとなり、普及を妨げるという課題がある。
【００１１】
また、ＦＣシステムの発電出力で蓄電池を充電する場合には、充電の形態によっては省エネ性の低下や蓄電量の目減りを生じるといった課題もある。
【００１２】
そこで、本発明は上記課題に鑑みなされたものであり、第１の目的は停電時、発電の継続性を高めることにある。
【００１３】
また、第２の目的は、蓄電池を電圧源に用いるＦＣシステムを発電手段に含む場合にも停電時、発電の継続性を向上させることにある。
【００１４】
更に、第３の目的は、充電の効率化を図り、停電時に蓄電池の蓄電量が目減りすることを抑制することにある。
【課題を解決するための手段】
【００１５】
上記目的を達成するため、本発明の給電システムは、発電手段と蓄電手段とを備える給電システムであって、系統電源の停電時、前記発電手段の発電出力により前記蓄電手段を充電する充電手段を備え、前記発電手段が前記蓄電手段から供給される電力を用いて発電し、前記充電手段が、少なくとも前記系統電源の停電時、前記発電手段に使用される前記蓄電手段の蓄電量を前記発電手段の発電出力により補填する。
【００１６】
上記目的を達成するためには、上記給電システムにおいて、好ましくは、前記充電手段は、前記系統電源の停電時、前記発電手段の発電を検出する発電検出手段と、前記発電手段の発電時、前記発電手段の発電出力により前記蓄電手段を充電する充電回路とを備えてもよい。
【００１７】
上記目的を達成するためには、上記給電システムにおいて、好ましくは、前記発電検出手段は、前記発電手段の発電出力側に設置された電流センサであってもよい。
【００１８】
上記目的を達成するため、本発明の給電プログラムは、発電手段と蓄電手段とを備える給電システムに搭載されたコンピュータに実行させる給電プログラムであって、系統電源の停電時、前記発電手段の発電を開始し、前記発電手段の発電時、前記蓄電手段から前記発電手段に電力を供給し、少なくとも前記系統電源の停電時、前記発電手段に使用される前記蓄電手段の蓄電量を前記発電手段の発電出力により補填する処理を前記コンピュータに実行させる。
【００１９】
上記目的を達成するため、本発明の給電方法は、発電手段と蓄電手段とを備える給電システムに用いられる給電方法であって、系統電源の停電時、前記発電手段の発電を開始し、発電出力を負荷に供給するステップと、前記発電手段の発電時、前記蓄電手段から前記発電手段に電力を供給するステップと、少なくとも前記系統電源の停電時、前記発電手段に使用される前記蓄電手段の蓄電量を前記発電手段の発電出力により補填するステップとを含んでいる。
【発明の効果】
【００２０】
本発明によれば、次のような効果が得られる。
【００２１】
(1) 停電時に蓄電手段から発電手段に電力を供給でき、発電手段に使用する蓄電手段の蓄電量を発電手段の発電電力で補填するので、発電の継続性を高めることができる。
【００２２】
(2) 発電手段に既述のＦＣシステム、蓄電手段に蓄電システムを利用することができ、このようなシステムを利用しても、ＦＣシステムの構成を変更することなく、停電時に発電を維持するに必要な蓄電量を蓄電手段に維持できる。
【００２３】
(3) 蓄電手段に発電を維持するに必要な蓄電量を補填できるので、充電の効率化を図ることができ、負荷に対する電力供給を長時間に亘って継続的に行うことができる。
【００２４】
そして、本発明の他の目的、特徴および利点は、添付図面および各実施の形態を参照することにより、一層明確になるであろう。
【図面の簡単な説明】
【００２５】
【図１】第１の実施の形態に係る給電システムおよびその停電時の動作を示す図である。
【図２】停電時の処理手順を示すフローチャートである。
【図３】停電時の処理手順を示すフローチャートである。
【図４】第２の実施の形態に係る給電システムを示す図である。
【図５】制御部の構成例を示す図である。
【図６】他の実施の形態に係る給電システムの一部を示す図である。
【図７】他の実施の形態に係る給電システムの一部を示す図である。
【発明を実施するための形態】
【００２６】
〔第１の実施の形態〕
【００２７】
＜システム構成＞
【００２８】
図１のＡは、第１の実施の形態に係る給電システムを示している。図１のＡに示す構成は一例であり、本発明が斯かる構成に限定されるものではない。
【００２９】
この給電システム２にはＦＣシステム（燃料電池コジェネレーションシステム）４、蓄電システム６および連系充電回路８が含まれる。
【００３０】
ＦＣシステム４は定置用発電機器であり、発電手段の一例である。このＦＣシステム４は太陽光発電システムなどでもよい。このＦＣシステム４は、系統電源１０の停電時、発電出力が配電系統１２により電力負荷１４に供給されるとともに、連系充電回路８により蓄電システム６に供給される。蓄電システム６は蓄電手段の一例である。連系充電回路８は充電手段の一例である。
【００３１】
配電系統１２には系統電源１０が接続されている。系統電源１０の連系時には、系統電源１０から系統電力が電力負荷１４に供給される。このとき、蓄電システム６は系統電源１０からの受電電力により充電される。この蓄電システム６には系統電源１０の状態を監視するため、電圧センサ１５が含まれる。この電圧センサ１５は系統電源１０の状態検出手段であり、給電、停電または停電からの復電を検知する手段である。この電圧センサ１５は電圧検出を行い、そのセンサ出力から系統電源１０が停電しているか否かを知ることができる。
【００３２】
配電系統１２には電流センサ１６−１が接続されている。この電流センサ１６−１はたとえば、カレントトランスである。この電流センサ１６−１はＦＣシステム４の発電制御に必要な電流出力が得られる。
【００３３】
ＦＣシステム４を配電系統１２に接続する連系回路１８には電流センサ１６−２が設置されている。この電流センサ１６−２もたとえば、カレントトランスである。この電流センサ１６−２にはＦＣシステム４の発電電力が計測される。つまり、系統電源１０の停電時、電流センサ１６−２の検出出力はＦＣシステム４の発電の有無を表す。この電流センサ１６−２の検出出力が蓄電システム６に加えられている。
【００３４】
この蓄電システム６には、蓄電池２０およびインバータ（以下「ＩＮＶ」と称する。）２２が含まれる。この蓄電池２０の直流出力はＩＮＶ２２により交流出力に変換される。この交流出力は配電系統１２に出力され、ＦＣシステム４に加えられる。
【００３５】
停電時、蓄電システム６から電力が供給されてＦＣシステム４は発電する。ＦＣシステム４の発電出力は連系充電回路８を介して蓄電池２０に加えられる。このＦＣシステム４では燃料電池により直流発電を行い、この直流出力を交流出力に変換している。この交流出力は連系充電回路８に加えられる。この連系充電回路８にはＡＣ−ＤＣコンバータ（Ａ／Ｄ）２４が含まれている。Ａ／Ｄ２４はＦＣシステム４の交流出力を直流に変換する。これにより、系統電源１０の停電時、ＦＣシステム４の発電出力が蓄電池２０に供給される。
【００３６】
＜停電時の動作＞
【００３７】
図１のＢは、系統電源１０の停電時の給電システム２の動作を示している。
【００３８】
蓄電システム６は、系統電源１０の停電時、電圧センサ１５で停電を検知すると系列運転から自立運転に移行する。この自立運転は系統電源１０の解列時、系統電源１０からＦＣシステム４および蓄電システム６を独立させた運転状態である。系統電源１０の停電時、自立運転に移行すると、蓄電池２０の出力がＩＮＶ２２により交流に変換される。この交流出力が配電系統１２に出力され、その電力によりＦＣシステム４が発電を行う。このＦＣシステム４の発電出力が電力負荷１４に供給されるとともに、連系充電回路８に供給される。このＦＣシステム４の発電出力が電流センサ１６−２に検出され、これを契機に蓄電池２０の充電動作が開始される。
【００３９】
系統電源１０の停電時、ＦＣシステム４の発電出力は連系充電回路８に供給され、Ａ／Ｄ２４の交直変換により得られた直流出力が蓄電システム６の蓄電池２０に供給される。これにより、蓄電システム６の蓄電池２０はＦＣシステム４の発電出力により継続的に充電される。つまり、系統電源１０の停電時、ＦＣシステム４に使用される蓄電システム６の蓄電量がＦＣシステム４の発電出力により補填される。これにより、ＦＣシステム４は継続的に発電を行うことが可能となる。
【００４０】
＜給電システム２の処理手順＞
【００４１】
図２は、停電時の時系列動作の処理手順を示している。この処理手順は本発明の給電プログラムまたは給電方法の一例である。
【００４２】
この処理手順では、系統電源１０の状態を監視する。系統電源１０に停電が発生し（Ｓ１１）、この停電を電圧センサ１５で検知する（Ｓ１２）。この停電検知を契機に蓄電システム６から蓄電池２０の電力を電力負荷１４およびＦＣシステム４に供給する（Ｓ１３）。
【００４３】
ＦＣシステム４は、蓄電池２０の電力を用いて発電する（Ｓ１４）。この場合、蓄電システム６が停止していれば、蓄電システム６の起動後に発電を開始する。
【００４４】
ＦＣシステム４が発電した電力が連系充電回路８を通じて蓄電システム６の蓄電池２０を充電する（Ｓ１５）。
【００４５】
図３は、停電時の処理手順を示している。この処理手順は、本発明の給電方法または給電プログラムの一例である。この給電プログラムは、給電システム２のコンピュータに実行されせるためのプログラムである。
【００４６】
この処理手順では、処理開始により停電検知を行う（Ｓ２１）。この停電検知は、電圧センサ１５によって行われる。この停電検知では停電か否かを判定し（Ｓ２２）、停電でなければ（Ｓ２２のＮＯ）、継続的に停電監視を行う。停電であれば（Ｓ２２のＹＥＳ）、自立運転に移行する（Ｓ２３）。
【００４７】
この自立運転では、停電時、ＦＣシステム４の発電を検知する。この発電検知では、ＦＣシステム４が発電しているか否かを判断する（Ｓ２４）。この発電の有無は、電流センサ１６−２の検出出力によって判断する。
【００４８】
ＦＣシステム４が発電していない場合には（Ｓ２４のＮＯ）、蓄電システム６の蓄電池２０の充電を停止する（Ｓ２５）。これにより、蓄電池２０から電力がＦＣシステム４に供給されないので、蓄電池２０の蓄電量の目減りを防止することができる。
【００４９】
ＦＣシステム４が発電している場合には（Ｓ２４のＹＥＳ）、蓄電システム６の蓄電池２０を充電する（Ｓ２６）。この充電は、既述のとおり、ＦＣシステム４の発電出力を連系充電回路８のＡ／Ｄ２４で直流出力に変換し、この直流出力で蓄電池２０を充電する。この充電は、ＦＣシステム４が発電を継続している限り、継続的に行う。
【００５０】
そして、復電検知を行う（Ｓ２７）。復電した場合には（Ｓ２８のＹＥＳ）、蓄電システム６の蓄電池２０の充電を停止する（Ｓ２５）。停電が継続している場合には（Ｓ２８のＮＯ）、ステップ（Ｓ２４）に戻り、ステップＳ２４〜Ｓ２８の処理を継続する。
【００５１】
＜第１の実施の形態の特徴および効果＞
【００５２】
(1) ＦＣシステム４の二次側出力で蓄電システム６に給電して蓄電池２０を充電する連系充電回路８を備えることにより、少なくとも、ＦＣシステム４の発電で失われる蓄電池２０の蓄電量を補填するので、継続的な発電が可能である。
【００５３】
(2) この実施の形態では連系充電回路８にＡ／Ｄ２４を備えることにより、交流出力を直流に変換して蓄電池２０の充電を行っている。このため、ＦＣシステム４に用いられる配電系統１２にある電流センサ１６−１の取り付け位置を変更する必要がなく、ＦＣシステム４の発電制御や電力制御を変更する必要がない。
【００５４】
(3) ＦＣシステム４の発電出力による蓄電池２０の充電は停電時のみである。系統連系時にＦＣシステム４の発電出力を用いて蓄電池２０の充電を行うことは可能である。しかしながら、ＦＣシステム４の発電効率や蓄電池２０の充放電効率を考慮すると、エネルギー効率の観点からすれば、省エネ性が低下するおそれがある。そこで、ＦＣシステム４の発電出力による蓄電池２０の充電は、停電時のみに限定している。これにより、エネルギー効率の低下を防止できる。
【００５５】
(4) 停電時の蓄電池２０の充電はＦＣシステム４が発電しているときに行う。つまり、ＦＣシステム４が発電していないとき、このＦＣシステム４から蓄電池２０を充電すると、蓄電システム６の放電した電力が連系充電回路８を通して蓄電池２０に回流して充電することになる。このような過程を経ると、電力損失が増大し、蓄電池２０の蓄電量が目減するおそれがある。そこで、停電時の蓄電池２０の充電はＦＣシステム４が発電しているときに行うので、斯かる不都合を回避することができる。
【００５６】
(5) そこで、上記実施の形態ではＦＣシステム４の発電電力を計測する電流センサ１６−２を連系回路１８に備えることにより、停電時にＦＣシステム４が発電しているか否か確認している。停電が発生した際、電流センサ１６−２の検出電流によりＦＣシステム４の発電を確認し、ＦＣシステム４が発電している場合、その発電電力を蓄電池２０に供給し、停電時のみ、ＦＣシステム４の発電電力で蓄電池２０を充電している。これにより、蓄電池２０の蓄電量の目減りを回避でき、効率的な充電が可能となる。
【００５７】
(6) 斯かる構成によれば、ＦＣシステム４に変更を加えることなく、停電時の蓄電池２０の蓄電量を維持でき、電力負荷１４に対する電力供給をより長時間に亘って継続的に行うことができる。
【００５８】
〔第２の実施の形態〕
【００５９】
＜システム構成＞
【００６０】
図４は、第２の実施の形態に係る給電システムを示している。図４において、図１と同一部分には同一符号を付してある。
【００６１】
この実施の形態のＦＣシステム４では発電部２６および制御部２８が含まれる。発電部２６は、燃料電池、太陽光パネルなど、いずれの発電手段であってもよい。このＦＣシステム４の発電出力が配電系統１２から電力負荷１４に給電される。制御部２８はコンピュータで構成され、発電部２６の発電時などの発電動作を制御する。
【００６２】
この制御部２８には配電系統１２にある電流センサ１６−１の検出出力が制御入力として加えられている。したがって、制御部２８は電流センサ１６−１の出力を受け、発電部２６の発電量を調整する。
【００６３】
蓄電システム６には、蓄電池２０、ＩＮＶ２２および制御部３０が含まれる。蓄電池２０は充放電が可能な二次電池の一例である。ＩＮＶ２２は蓄電池２０の出力を交流出力に変換し、配電系統１２に出力する。制御部３０はコンピュータで構成され、連系回路１８にある電流センサ１６−２の出力が制御入力として加えられる。系統電源１０の停電時、ＦＣシステム４の出力によりＦＣシステム４が発電状態であることを検出する。ＦＣシステム４の発電時、蓄電システム６は蓄電池２０の充電を開始する。
【００６４】
この蓄電池２０の充電には、連系充電回路８が用いられる。この連系充電回路８にはＡ／Ｄ２４、充電経路３２、スイッチ回路３４および制御部３６が含まれる。充電経路３２はＦＣシステム４の出力をＡ／Ｄ２４に供給し、Ａ／Ｄ２４の変換出力を蓄電システム６の蓄電池２０に供給する。
【００６５】
スイッチ回路３４は制御部３６の出力によって制御される。この制御により、スイッチ回路３４が充電経路３２を開閉し、ＦＣシステム４の発電時に充電経路３２を導通させる。
【００６６】
制御部３６は電流センサ１６−２の検出出力を受けてスイッチ回路３４を開閉する制御出力を発生する。この制御部３６には、ＦＣシステム４の発電時、その発電を表す出力が得られる。
【００６７】
斯かる構成によれば、制御部３６は電流センサ１６−２の出力を受け、スイッチ回路３４を導通させる。このスイッチ回路３４の導通時、系統電源１０の停電時、ＦＣシステム４の発電出力がＡ／Ｄ２４に加えられ、直流出力に変換される。この直流出力が蓄電システム６の蓄電池２０に供給され、蓄電池２０が充電される。これにより、系統電源１０の停電時、ＦＣシステム４の発電に使用される蓄電システム６の蓄電池２０の蓄電量がＦＣシステム４の発電出力により補填される。
【００６８】
この実施の形態では、単一の電流センサ１６−２の出力により、制御部３０、３６に検出出力が加えられており、停電時つまり、ＦＣシステム４の発電による放電動作と、ＦＣシステム４の発電出力による蓄電池２０の充電動作が同時に実行される。つまり、蓄電池２０の蓄電量の目減りを防止することができる。
【００６９】
図５は、制御部３６のハードウェアの一例を示している。制御部３６はマイクロコンピュータにより構成されている。この制御部３６にはプロセッサ３８、メモリ４０、ＲＡＭ（Random-Access Memory）４２および入出力部４４が含まれ、これらはバス４６で連系されている。
【００７０】
プロセッサ３８はメモリ４０に格納されているＯＳ（Operating System）などの各種のプログラムを実行する。このプロセッサ３８では入出力部４４に対する電流センサ１６−２の検出出力により、スイッチ回路３４をＦＣシステム４の発電時に導通させ、ＦＣシステム４の動作停止時にスイッチ回路３４を遮断する制御出力を発生する。
【００７１】
メモリ４０には既述のＯＳなどのプログラムが格納されている。ＲＡＭ４２は情報処理のワークエリアを構成する。入出力部４４は電流センサ１６−２の検出出力の入力や、制御出力の取出しに用いられる。
【００７２】
＜第２の実施の形態の効果＞
【００７３】
(1) 連系充電回路８を通じてＦＣシステム４の発電電力をＡ／Ｄ２４に導き、Ａ／Ｄ２４で交流を直流に変換して得られる直流電力を蓄電池２０に供給できる。
【００７４】
(2) ＦＣシステム４の二次側出力を蓄電池２０に供給する連系充電回路８を備えているので、電流センサ１６−１の取付け位置やＦＣシステム４の発電電力制御を変更する必要がなく、既存のシステムを利用して給電機能を拡張できる。しかも、既存のＦＣシステム４を無改造で機能拡張が可能である。
【００７５】
(3) ＦＣシステム４に変更を来すことなく、蓄電池２０の停電時の蓄電量を維持でき、電力負荷１４に対する電力供給の供給時間を延長できる。
【００７６】
(4) 停電時のみ、連系充電回路８を作動させることで、省エネ性を高めることができる。
【００７７】
〔他の実施の形態〕
【００７８】
ａ）図６に示すように、表示部４８を備えてもよい。この表示部４８には制御部３６から表示出力を付与することにより、停電状態か給電状態か、ＦＣシステム４の動作状況、蓄電池２０の蓄電量を表示してもよい。
【００７９】
ｂ）図７のＡに示すように、Ａ／Ｄ２４は、蓄電システム６側に設置してもよい。
【００８０】
ｃ）図７のＢに示すように、スイッチ回路３４の制御を蓄電システム６側の制御部３０の制御出力によって開閉するようにしてもよい。
【００８１】
ｄ）図７のＣに示すように、蓄電システム６側にＡ／Ｄ２４およびスイッチ回路３４を設置してもよい。
【００８２】
ｅ）図７のＤに示すように、図７のＢに示すシステムでＡ／Ｄ２４を蓄電システム６側に備えてもよい。
【００８３】
ｆ）図７のＥに示すように、図７のＤに示すシステムでスイッチ回路３４を蓄電システム６側に備えてもよい。
【００８４】
以上説明したように、本発明の最も好ましい実施の形態等について説明した。本発明は、上記記載に限定されるものではない。特許請求の範囲に記載され、または発明を実施するための形態に開示された発明の要旨に基づき、当業者において様々な変形や変更が可能である。斯かる変形や変更が、本発明の範囲に含まれることは言うまでもない。
【産業上の利用可能性】
【００８５】
本発明は既存のＦＣシステムなどの発電ユニットや、蓄電池システムなどの蓄電ユニットを利用し、発電ユニットの発電出力で蓄電池を充電するので、既存システムに連系充電回路などの簡易な回路系統の追加で、停電時、長時間の給電を行うことができる。
【符号の説明】
【００８６】
２  給電システム
４  ＦＣシステム
６  蓄電システム
８  連系充電回路
１０  系統電源
１２  配電系統
１４  電力負荷
１５  電圧センサ
１６−１、１６−２  電流センサ
１８  連系回路
２０  蓄電池
２２  インバータ
２４  ＡＣ−ＤＣコンバータ
２６  発電部
２８  制御部
３０  制御部
３２  充電経路
３４  スイッチ回路
３６  制御部
３８  プロセッサ
４０  メモリ
４２  ＲＡＭ
４４  入出力部
４６  バス
４８  表示部
【図１】
2014165955.tif 000003
【図２】
2014165955.tif 000004
【図３】
2014165955.tif 000005
【図４】
2014165955.tif 000006
【図５】
2014165955.tif 000007
【図６】
2014165955.tif 000008
【図７】
2014165955.tif 000009